(57)【要約】【課題】投影装置と光源装置とを有する画像投影システムにおいて、光源装置が投影装置に供給する光度エネルギーを、光源装置と投影装置との距離に応じて適切に調整する。【解決手段】光源装置１０と、光源装置１０から供給される光度エネルギーを用いて被投影面４Ａ，４Ｂに画像を投影する複数の投影装置２０Ａ，２０Ｂと、を備える画像投影システム１であって、投影装置２０Ａ，２０Ｂは、画像の投影に要する光度エネルギーの必要量を、光源装置１０に通知する通知部を備え、光源装置１０は、投影装置２０Ａ，２０Ｂから通知された必要量と、投影装置２０Ａ，２０Ｂとの接続距離を示す距離情報と、に基づいて、投影装置２０Ａ，２０Ｂについて光度エネルギーの供給時の損失分を補填した光度エネルギーの供給量を算出する供給量算出部と、供給量算出部で算出した供給量分の光度エネルギーを、投影装置２０Ａ，２０Ｂへ出力する供給制御部と、を備える。【選択図】図１
2018077397.tif 000002
【特許請求の範囲】
【請求項１】
光源装置と、
該光源装置に接続され、該光源装置から供給される光度エネルギーを用いて被投影面に画像を投影する複数の投影装置と、を備える画像投影システムであって、
前記投影装置の各々は、
前記画像の投影に要する光度エネルギーの必要量を、前記光源装置に通知する通知部を備え、
前記光源装置は、
前記投影装置の各々から通知された前記必要量と、各々の前記投影装置との接続距離を示す距離情報と、に基づいて、各々の前記投影装置について光度エネルギーの供給時の損失分を補填した光度エネルギーの供給量を算出する供給量算出部と、
前記供給量算出部で算出した前記供給量分の光度エネルギーを、各々の前記投影装置へ出力する供給制御部と、を備えることを特徴とする画像投影システム。
【請求項２】
光源装置と、
該光源装置に接続され、該光源装置から供給される光度エネルギーを用いて被投影面に画像を投影する複数の投影装置と、を備える画像投影システムであって、
前記投影装置の各々は、
前記画像の投影に要する光度エネルギーの必要量と、前記光源装置との接続距離を示す距離情報と、に基づいて、光度エネルギーの供給時の損失分を補填した光度エネルギーの供給量を算出する供給量算出部と、
前記供給量を前記光源装置に通知する通知部と、を備え、
前記光源装置は、
前記投影装置の各々から通知された前記供給量分の光度エネルギーを、各々の前記投影装置へ出力する供給制御部と、を備えることを特徴とする画像投影システム。
【請求項３】
前記光源装置は、複数の光源を有していることを特徴とする請求項１または２に記載の画像投影システム。
【請求項４】
前記投影装置の各々は、
前記被投影面の前記画像のサイズを算出するとともに、該画像のサイズに基づいて前記必要量を算出する必要量算出部を備えることを特徴とする請求項１から３までのいずれかに記載の画像投影システム。
【請求項５】
前記投影装置の各々は、
前記必要量を記憶する記憶部を備え、
前記光源装置は、
前記距離情報を記憶する記憶部を備えることを特徴とする請求項１に記載の画像投影システム。
【請求項６】
前記投影装置の各々は、
前記必要量および前記距離情報を記憶する記憶部を備えることを特徴とする請求項２に記載の画像投影システム。
【請求項７】
光源装置と、
該光源装置に接続され、該光源装置から供給される光度エネルギーを用いて被投影面に画像を投影する複数の投影装置と、を備える画像投影システムの前記光源装置であって、
前記投影装置の各々から通知される各々の前記投影装置が前記画像の投影に要する光度エネルギーの必要量と、各々の前記投影装置との接続距離を示す距離情報と、に基づいて、各々の前記投影装置について光度エネルギーの供給時の損失分を補填した光度エネルギーの供給量を算出する供給量算出部と、
前記供給量算出部で算出した前記供給量分の光度エネルギーを、各々の前記投影装置へ出力する供給制御部と、を備えることを特徴とする光源装置。
【請求項８】
光源装置と、
該光源装置に接続され、該光源装置から供給される光度エネルギーを用いて被投影面に画像を投影する複数の投影装置と、を備える画像投影システムの前記投影装置であって、
前記画像の投影に要する光度エネルギーの必要量と、前記光源装置との接続距離を示す距離情報と、に基づいて、光度エネルギーの供給時の損失分を補填した光度エネルギーの供給量を算出する供給量算出部と、
前記供給量を前記光源装置に通知する通知部と、を備えることを特徴とする投影装置。
【発明の詳細な説明】
【技術分野】
【０００１】
本発明は、画像投影システム、光源装置及び投影装置に関する。
【背景技術】
【０００２】
パーソナルコンピュータなどの情報処理装置、ＤＶＤプレーヤーなどの映像再生機器、デジタルカメラなどの撮像装置等から送信される画像データに基づいて、光源から照射される光を用いて画像表示素子が画像を生成し、生成された画像を複数のレンズ等を含む光学系を通してスクリーン等の被投影面に投影する画像投影装置（プロジェクタ）が知られている。
【０００３】
画像投影装置に関する技術として、近年、光源部分（以下、光源装置と呼ぶ）をヘッド部分（画像表示素子や投影光学系などを含む部分、以下、投影装置と呼ぶ）とは別体として構成する画像投影システム（プロジェクタシステム）が知られている。
【０００４】
例えば、特許文献１には、光源装置と投影装置とを別々の装置として構成し、両装置を光ファイバで接続するシステムが開示されている。また、特許文献２には、１の投影装置に複数の光源装置を接続する照明装置が開示されている。
【０００５】
このような光源装置と投影装置とを別々の装置とする画像投影システムでは、投影装置は、光源装置から光ファイバを介して光度エネルギー（光量、以下、光源量ともいう）［ｌｍ］の供給を受けている。光源装置と投影装置とを別の装置で実現する場合、投影装置の設置方向を柔軟に調整できるというメリットがあり、例えば、投影装置を上向きに設置したり、下向きに設置したりすることが可能となる。
【発明の概要】
【発明が解決しようとする課題】
【０００６】
このように光源装置と投影装置とを別々の装置として構成する画像投影システムでは、設置方向を柔軟に調整できるなどのメリットがある一方で、光源装置から投影装置に供給する光度エネルギーの量を、システムの状況に応じて柔軟に調整することが難しいという課題があった。
【０００７】
例えば、光源装置と投影装置との距離（光ファイバによる接続距離）が長い場合、光源装置から投影装置へ供給される光度エネルギーは、伝送中に所定量、減衰（ロス）してしまう。例えば、一般的なシングルモードの光ファイバの場合、１５５０ｎｍの光信号に対し、１ｋｍあたり０．３ｄＢの減衰量を有する。なお、光源装置と投影装置との距離が長い場合としては、光源装置と投影装置とを高層ビルの上層階と下層階にそれぞれ設置するケースや、隣接する建物にそれぞれ設置するケースなどが考えられる。
【０００８】
しかしながら、従来の画像投影システムでは、光源装置から投影装置への光度エネルギーの供給に際し、光源装置と投影装置との距離による減衰が考慮されておらず、距離が長い場合、適切な投影画像の明るさに調整することができていなかった。
【０００９】
そこで本発明は、投影装置と光源装置とを有する画像投影システムにおいて、光源装置が投影装置に供給する光度エネルギーを、光源装置と投影装置との距離に応じて適切に調整することができる画像投影システムを提供することを目的とする。
【課題を解決するための手段】
【００１０】
かかる目的を達成するため、本発明に係る画像投影システムは、光源装置と、該光源装置に接続され、該光源装置から供給される光度エネルギーを用いて被投影面に画像を投影する複数の投影装置と、を備える画像投影システムであって、前記投影装置の各々は、前記画像の投影に要する光度エネルギーの必要量を、前記光源装置に通知する通知部を備え、前記光源装置は、前記投影装置の各々から通知された前記必要量と、各々の前記投影装置との接続距離を示す距離情報と、に基づいて、各々の前記投影装置について光度エネルギーの供給時の損失分を補填した光度エネルギーの供給量を算出する供給量算出部と、前記供給量算出部で算出した前記供給量分の光度エネルギーを、各々の前記投影装置へ出力する供給制御部と、を備えるものである。
【発明の効果】
【００１１】
本発明によれば、投影装置と光源装置とを有する画像投影システムにおいて、光源装置が投影装置に供給する光度エネルギーを、光源装置と投影装置との距離に応じて適切に調整することができる。
【図面の簡単な説明】
【００１２】
【図１】画像投影システムの一例を示す図である。
【図２】光源装置のハードウエア構成の一例を示す図である。
【図３】投影装置のハードウエア構成の一例を示す図である。
【図４】システム制御部の機能構成の一例を示す図である。
【図５】情報記憶部で保持するテーブルの一例を示す図である。
【図６】主制御部の機能構成の一例を示す図である。
【図７】投影装置の動作手順の一例を示す図である。
【図８】光源装置の動作手順の一例を示す図である。
【図９】画像投影システムの動作の一例を示す説明図である。
【図１０】システム制御部の機能構成の他の例を示す図である。
【図１１】主制御部の機能構成の他の例を示す図である。
【図１２】投影装置の動作手順の他の例を示す図である。
【図１３】光源装置の動作手順の他の例を示す図である。
【図１４】画像投影システムの他の例を示す図である。
【図１５】画像投影システムの動作の他の例を示す説明図である。
【図１６】分配部の一例を示す図である。
【図１７】投影装置のハードウエア構成の他の例を示す図である。
【図１８】主制御部の機能構成の他の例を示す図である。
【発明を実施するための形態】
【００１３】
以下、本発明に係る構成を図１から図１８に示す実施の形態に基づいて詳細に説明する。
【００１４】
［第１の実施形態］
本実施形態に係る画像投影システムは、光源装置（光源装置１０）と、該光源装置に接続され、該光源装置から供給される光度エネルギーを用いて被投影面（被投影面４）に画像を投影する複数の投影装置（投影装置２０Ａ，２０Ｂ）と、を備える画像投影システム（画像投影システム１）であって、投影装置の各々は、画像の投影に要する光度エネルギーの必要量を、光源装置に通知する通知部（送受信部２１０）を備え、光源装置は、投影装置の各々から通知された必要量と、各々の投影装置との接続距離を示す距離情報と、に基づいて、各々の投影装置について光度エネルギーの供給時の損失分を補填した光度エネルギーの供給量を算出する供給量算出部（供給量算出部１２０）と、供給量算出部で算出した供給量分の光度エネルギーを、各々の投影装置へ出力する供給制御部（供給制御部１３０）と、を備えるものである。なお、括弧内は実施形態での符号、適用例を示す。
【００１５】
（画像投影システム概要）
図１は、画像投影システム１の一例を示す概略構成図である。画像投影システム１は、光源装置１０と、投影装置２０と、端末３０とを有する。光源装置１０と、投影装置２０とは、光ファイバ２で接続されており、光源装置１０は、光ファイバ２を介して、光度エネルギーを投影装置２０に供給する。
【００１６】
光源装置１０と投影装置２０とは、ネットワーク３を介して各種信号の送受信を行う。ネットワーク３は、例えば、ＬＡＮ（Local  Area  Network）、又は無線ＬＡＮ等により構築される。光源装置１０と投影装置２０とは、ＵＳＢ（Universal  Serial  Bus）ケーブル、ＲＳ２３２Ｃケーブル等を用いて接続されてもよい。光源装置１０には、複数の投影装置２０を接続することが可能であり、図１の例では、光源装置１０に、２台の投影装置（２０Ａ，２０Ｂ）が接続され、各投影装置２０に各端末（３０Ａ，３０Ｂ）が接続されている様子を示している。
【００１７】
投影装置２０は、端末３０から画像データの入力を受け付ける。端末３０は、例えば、パーソナルコンピュータ、タブレット端末、スマートフォン、またはデジタルカメラ等である。投影装置２０は、入力された画像データを、光源装置１０から供給された光度エネルギーを用いて投影し、投影画像をスクリーン等の被投影面４上に形成する。なお、投影装置２０は、記憶している画像データを被投影面４上に投影してもよい。この場合、端末３０は不要である。
【００１８】
投影装置２０Ａ，２０Ｂは、それぞれネットワーク３を介して、投影画像のサイズ等に応じて、画像の投影に要する光度エネルギーの必要量（以下、必要光源量という）を光源装置１０へ通知する。
【００１９】
光源装置１０は、投影装置２０Ａ，２０Ｂの必要光源量を、ネットワーク３を介して受信する。光源装置１０は、受信した必要光源量に、光ファイバ２の接続距離に応じた光源量ロス分を補った光源量を算出し、この分の光度エネルギーを投影装置２０Ａ，２０Ｂへ供給する。
【００２０】
画像投影システム１は、光源装置１０と、投影装置２０とが物理的に分離し、光ファイバ２を介して接続されているため、投影装置２０の設置角度を柔軟に調整することが可能となる。例えば、投影装置を上向きに設置したり、下向きに設置したりすることが可能となり、また、ポートレート投影（縦長の投影画像での投射）にも適している。
【００２１】
画像投影システム１では、光源装置１０を、複数の投影装置２０で共有することが可能であるため、例えば、投影装置２０の各々を別々の会議室に配備し、投影装置２０の各々に、別の場所に配備された光源装置１０から、適切な量の光度エネルギーを供給することが可能となる。また、光源装置１０を複数の投影装置２０が共有できるため、画像投影システム１のシステム構築に係るコストの低減が見込まれる。
【００２２】
（ハードウエア構成：光源装置）
図２を用いて、光源装置１０のハードウエア構成について説明する。光源装置１０は、システム制御部１１、操作部１２、ファン１３、光源１４、分配部１５、及び、光ファイバＩ／Ｆ（Interface）１６を有する。
【００２３】
システム制御部１１は、操作部１２の指示を受けて、光源装置１０の全体の制御を行う装置である。
【００２４】
操作部１２は、ユーザによる各種操作を受け付けるボタン等である。操作部１２が受け付けたユーザ操作は、システム制御部１１に送られる。
【００２５】
ファン１３は、システム制御部１１に制御されて回転し、光源１４を冷却する。
【００２６】
光源装置１０は、１以上の光源１４を有する。光源１４の各々は、複数のレーザダイオード（ＬＤ：Laser  Diode）等であり、システム制御部１１の制御を受け、分配部１５に向けて発光する。
【００２７】
分配部１５は、システム制御部１１の制御を受け、光ファイバＩ／Ｆ１６の各々に供給する光度エネルギーを分配する。
【００２８】
光源装置１０には複数の光ファイバＩ／Ｆ１６が設けられている。光ファイバＩ／Ｆ１６は、光ファイバ２と接続されており、分配部１５から受光した光を、光ファイバ２に伝送する。
【００２９】
システム制御部１１は、ＣＰＵ（Central  Processing  Unit）１１１、ＲＡＭ（Random  Access  Memory）１１２、ＲＯＭ（Read  Only  Memory）１１３、及び、ストレージ１１４を有する。
【００３０】
ＣＰＵ１１１は、ＲＯＭ１１３及びストレージ１１４などからプログラムやデータをＲＡＭ１１２上に読み出し、処理を実行することで、光源装置１０全体の制御や光源装置１０の機能を実現する演算部である。ＲＡＭ１１２は、プログラムやデータを一時保持する揮発性の半導体メモリ（記憶部）である。ＲＯＭ１１３は、電源を切ってもプログラム、データを保持することができる不揮発性の半導体メモリ（記憶部）の一例である。ＲＯＭ１１３には、プログラムや各種データが記憶されている。ストレージ１１４は、ＨＤＤ（Hard  Disk  Drive）等により実現される不揮発性の記憶部である。
【００３１】
（ハードウエア構成：投影装置）
図３を用いて、投影装置２０のハードウエア構成について説明する。投影装置２０は、主制御部２１、操作部２２、外部Ｉ／Ｆ２３、光ファイバＩ／Ｆ２４、画像生成部２５、投影光学系２６を有する。
【００３２】
主制御部２１は、操作部２２の指示を受けて、投影装置２０の全体の制御を行う装置である。
【００３３】
操作部２２は、ユーザによる各種操作を受け付けるボタン等である。操作部２２が受け付けたユーザ操作は、主制御部２１に送られる。
【００３４】
外部Ｉ／Ｆ２３は、端末３０と接続する接続端子を有し、接続された端末３０から画像データを取得し、取得した画像データを主制御部２１に出力する。
【００３５】
光ファイバＩ／Ｆ２４は、光ファイバ２と接続され、光ファイバ２を介して光度エネルギーの供給を受ける。
【００３６】
画像生成部２５は、主制御部２１の制御を受けて、入力を受けた画像データを基に、投影する画像データを生成する。投影する画像データを生成する際には、光ファイバＩ／Ｆ２４から光度エネルギーの供給を受ける。
【００３７】
投影光学系２６は、複数の投射レンズ、ミラー等を有し、画像生成部２５によって生成される投影する画像データを拡大して被投影面４に投影する。
【００３８】
主制御部２１は、ＣＰＵ２１１、ＲＡＭ２１２、ＲＯＭ２１３、及び、ストレージ２１４を有する。
【００３９】
ＣＰＵ２１１は、ＲＯＭ２１３及びストレージ２１４などからプログラムやデータをＲＡＭ２１２上に読み出し、処理を実行することで、投影装置２０全体の制御や投影装置２０の機能を実現する演算部である。ＲＡＭ２１２は、プログラムやデータを一時保持する揮発性の半導体メモリ（記憶部）である。ＲＯＭ２１３は、電源を切ってもプログラム、データを保持することができる不揮発性の半導体メモリ（記憶部）の一例である。ＲＯＭ２１３には、プログラムや各種データが記憶されている。ストレージ２１４は、ＨＤＤ等により実現される不揮発性の記憶部である。
【００４０】
（機能構成：システム制御部（光源装置））
図４を用いて、光源装置１０のシステム制御部１１の機能構成について説明する。システム制御部１１は、送受信部１１０、供給量算出部１２０、供給制御部１３０を有する。これらの機能は、ＲＯＭ１１３に格納された１以上のプログラムを読み出して、ＣＰＵ１１１が実行することにより実現される。また、システム制御部１１は、情報記憶部１４０を有する。情報記憶部１４０は、例えば、ストレージ１１４により実現される。
【００４１】
送受信部１１０は、ネットワーク３を介して、投影装置２０との間で信号を送受信する。送受信部１１０は、投影装置２０の各々から、投影装置２０の識別子、及び必要光源量、を含む信号等を受信する。
【００４２】
供給量算出部１２０は、投影装置２０の各々から受信した必要光源量と、情報記憶部１４０の距離管理テーブル１４２で記憶されている各投影装置２０との間の距離（＝光ファイバ長）に基づいて、投影装置２０の各々に分配する光度エネルギーの量（供給量、供給光源量ともいう）を算出する。
【００４３】
供給制御部１３０は、供給量算出部１２０により算出された光度エネルギーの量が、投影装置２０の各々に供給されるように、分配部１５を動作させる。これにより、投影装置２０に供給される光度エネルギーが、適切に調整される。
【００４４】
情報記憶部１４０は、システム制御部１１の動作に必要な各種情報を記憶する。情報記憶部１４０の記憶している対応管理テーブル１４１の一例を図５（ａ）に、距離管理テーブル１４２の一例を図５（ｂ）に示す。
【００４５】
対応管理テーブル１４１は、投影装置２０が接続されている光ファイバＩ／Ｆ１６の識別子と、投影装置２０の識別子とを対応付けて記憶しているテーブルである。例えば、光ファイバＩ／Ｆ１６の識別子「００１」には、投影装置２０の識別子「Ａ」の投影装置２０が接続されていることを示している。供給制御部１３０は、光度エネルギーを供給する際に、対応管理テーブル１４１を参照することで、所望の投影装置２０への供給が可能となっている。
【００４６】
距離管理テーブル１４２は、投影装置２０の識別子（または光ファイバＩ／Ｆ１６の識別子）と、光ファイバ２の距離（ｋｍ）とを対応付けて記憶しているテーブルである。例えば、投影装置２０の識別子「Ａ」の投影装置２０との距離は１．５ｋｍの接続距離であることを示している。
【００４７】
送受信部１１０が、投影装置２０の各々から必要光源量を受信すると、供給量算出部１２０は、対応管理テーブル１４１および距離管理テーブル１４２を参照し、投影装置２０の各々について、供給中の減衰量を考慮した光度エネルギーの供給量を算出する。そして、供給制御部１３０は、算出された供給量分の光度エネルギーを各々の投影装置２０に出力するようにする。
【００４８】
（機能構成：主制御部（投影装置））
図６を用いて、投影装置２０の主制御部２１の機能構成について説明する。主制御部２１は、送受信部２１０、投影制御部２２０を有する。これらの機能は、ＲＯＭ２１３に格納された１以上のプログラムを読み出して、ＣＰＵ２１１が実行することにより実現される。また、主制御部２１は、情報記憶部２３０を有する。情報記憶部２３０は、例えば、ストレージ２１４により実現される。
【００４９】
送受信部２１０は、ネットワーク３を介して、光源装置１０との間で信号を送受信する。送受信部２１０は、投影装置２０の識別子、及び必要光源量を含む信号等を、光源装置１０に送信する。
【００５０】
投影制御部２２０は、投影装置２０の全体の制御を行う。投影制御部２２０は、画像生成部２５を制御し、端末３０から入力された画像データを基に、被投影面４に投影する画像を生成する。
【００５１】
情報記憶部２３０は、必要光源量２３１などの投影装置２０の制御に必要な各種データを記憶する。必要光源量２３１は、投影画像のサイズなどにより異なるため、投影画像のサイズとサイズに応じて必要な光源量が対応づけて記憶されるものであればよい。情報記憶部２３０は、画像データを記憶してもよい。この場合、投影制御部２２０は、情報記憶部２３０から画像データを読み出して、画像生成部２５に被投影面４に投影する画像を生成させる。
【００５２】
（システム動作：投影装置）
図７を用いて、投影装置２０による動作手順について説明する。各投影装置２０（投影装置Ｎ）は、ネットワーク３を介して、必要光源量を光源装置１０へ通知する（Ｓ１０１）。
【００５３】
（システム動作：光源装置）
図８を用いて、光源装置１０による動作手順について説明する。光源装置１０は、Ｎ台（Ｎは自然数）の投影装置２０に光度エネルギーを供給可能であり、投影装置２０の各々に装置番号１〜Ｎのいずれかが付与されているものとする。
【００５４】
光源装置１０は、接続可能な投影装置２０のカウントＮをクリアする（Ｓ２０１）。次いで、カウントＮをインクリメントし（Ｓ２０２）、必要光源量を取得するまでのタイマーをクリアする（Ｓ２０３）。
【００５５】
投影装置Ｎから必要光源量を受信したか否かを判断し（Ｓ２０４）、受信した場合（Ｓ２０４：Ｙｅｓ）、距離管理テーブル１４２を参照して、投影装置Ｎについての距離を呼び出す（Ｓ２０５）。
【００５６】
そして、受信した必要光源量と、距離と、に基づいて、投影装置Ｎへ出力する供給光源量を算出する（Ｓ２０６）。算出した供給光源量を投影装置Ｎへ出力する（Ｓ２０７）。
【００５７】
一方、Ｓ２０４において、投影装置Ｎから必要光源量を受信しない場合（Ｓ２０４：Ｎｏ）、タイマーをカウントし（Ｓ２０８）、カウント値が所定時間以上（タイムアウト）であるかを判定する（Ｓ２０９）。
【００５８】
タイムアウトの場合（Ｓ２０９：Ｙｅｓ）、投影装置Ｎへの光源出力をオフにする（Ｓ２１０）。なお、光源出力をオフにせず、デフォルト値での光源出力を行うようにしても良い。
【００５９】
タイムアウトでない場合（Ｓ２０９：Ｎｏ）、必要光源量を受信したた否かの判断（Ｓ２０４）へ戻る。
【００６０】
Ｓ２０７またはＳ２１０の処理の後、カウントされたＮが、光源装置１０に接続できる最大数か否かを判定する（Ｓ２１１）。Ｎが最大数となっていない場合は（Ｓ２１１：Ｎｏ）、Ｓ２０２へ戻りＮをインクリメントして、他の投影装置Ｎについての処理に移る。一方、最大数となっている場合は（Ｓ２１１：Ｙｅｓ）、接続される投影装置Ｎはこれ以上ないので、今回の処理を終了して、次回の処理に移る（Ｓ２０１へ戻る）。
【００６１】
図９を参照して、以上説明した画像投影システム１の動作の一例を説明する。図９は、図１に示した画像投影システム１に説明のための数値を付加した説明図である。
【００６２】
図９の例では、投影装置２０Ａの必要光源量が３，０００［ｌｍ］、投影装置２０Ｂの必要光源量が１，０００［ｌｍ］である。なお、光源装置１０の光源１４の最大供給量は５，０００［ｌｍ］とする。
【００６３】
光源装置１０の送受信部１１０は、ネットワーク３を介して、投影装置２０Ａから、該投影装置２０Ａの必要光源量が３，０００［ｌｍ］であることを示す情報を受信する。次いで、供給量算出部１２０は、距離管理テーブル１４２を参照して、投影装置２０Ａの距離が、１．５ｋｍであることを呼び出す。
【００６４】
シングルモードファイバーの場合、光ファイバ２の損失は、０．３ｄＢ／ｋｍであり、１ｋｍあたり、出力光量に対し約７％の損失が発生する。
【００６５】
供給量算出部１２０は、損失量およびこれを補うための演算を行う。距離が１．５ｋｍの場合、損失を補う光源量Ｚ１＝３，３５２［ｌｍ］を算出する。この光源量Ｚ１を供給光源量として、投影装置２０Ａに出力する。
【００６６】
同様に、送受信部１１０は、ネットワーク３を介して、投影装置２０Ｂから、該投影装置２０Ｂの必要光源量が１，０００［ｌｍ］であることを示す情報を受信する。次いで、供給量算出部１２０は、投影装置２０Ｂの距離が０．５ｋｍであることを呼び出す。
【００６７】
供給量算出部１２０は、損失量およびこれを補うための演算を行う。距離が、０．５ｋｍの場合、損失を補う光源量Ｚ２＝１，１１８［ｌｍ］を算出する。この光源量Ｚ２を供給光源量として、投影装置２０Ｂに出力する。
【００６８】
なお、使用される光ファイバ２により損失特性は異なるため、供給量算出部１２０は、使用される光ファイバ２の損失特性に応じた減衰量の演算式を予め有しており、供給量算出部１２０は、この演算式に基づいて、減衰量を算出する。
【００６９】
以上説明したように、これまでの投影装置と光源装置とを有する画像投影システムにおいては、投影装置と光源装置との光ファイバによる接続距離が長い場合、光量のロスが発生し、投影装置にて、所望の投影画像サイズや投影モードに応じて必要な明るさが不足し、画像が暗くなるという問題があった。
【００７０】
これに対し、第１の実施形態に係る画像投影システム１によれば、光源装置１０が投影装置２０に供給する光度エネルギーを、光源装置１０と投影装置２０との距離に応じて、光度エネルギーのロス分を補って適切に調整することで、距離に応じて適切な明るさに調整することができる。したがって、光源装置１０と投影装置２０との距離が長い場合であっても、最適な明るさに調整された投影画像を投影することができる。
【００７１】
なお、第１の実施形態では、光源装置１０が距離管理テーブル１４２を有している例について説明したが、投影装置２０の各々が距離情報を必要光源量とともに、通知するようにしてもよい。
【００７２】
［第２の実施形態］
以下、本発明に係る画像投影システムの他の実施形態について説明する。なお、上記実施形態と同様の点についての説明は適宜省略する。
【００７３】
第１の実施形態では、光源装置１０が供給量算出部１２０を有し、光源装置１０で減衰量を考慮した光源量を算出することを説明した。第２の実施形態では、各投影装置２０にて、減衰量を考慮した光源量を算出する例について説明する。
【００７４】
第２の本実施形態に係る画像投影システムは、光源装置（光源装置１０）と、該光源装置に接続され、該光源装置から供給される光度エネルギーを用いて被投影面（被投影面４）に画像を投影する複数の投影装置（投影装置２０Ａ，２０Ｂ）と、を備える画像投影システム（画像投影システム１）であって、投影装置の各々は、画像の投影に要する光度エネルギーの必要量と、光源装置との接続距離を示す距離情報と、に基づいて、光度エネルギーの供給時の損失分を補填した光度エネルギーの供給量を算出する供給量算出部（供給量算出部２４０）と、供給量を光源装置に通知する通知部（送受信部２１０）と、を備え、光源装置は、投影装置の各々から通知された供給量分の光度エネルギーを、各々の投影装置へ出力する供給制御部（供給制御部１３０）と、を備えるものである。なお、括弧内は実施形態での符号、適用例を示す。
【００７５】
（機能構成）
図１０は、光源装置１０のシステム制御部１１の機能構成についての説明図、図１１は、投影装置２０の主制御部２１の機能構成についての説明図である。第２の実施形態では、投影装置２０の主制御部２１は、情報記憶部２３０に、投影装置２０と光源装置１０との距離を示す距離情報２３２を記憶している。また、投影装置２０は、供給量算出部２４０を有し、供給量算出部２４０は、必要光源量と、距離情報２３２に基づいて、光源装置１０から供給されるべき光度エネルギーの供給量を算出する。
【００７６】
（システム動作：投影装置）
図１２を用いて、投影装置２０による動作手順について説明する。各投影装置２０（投影装置Ｎ）の供給量算出部２４０は、情報記憶部２３０に記憶されている距離情報２３２を読み出す（Ｓ３０１）。次いで、必要光源量２３１と、距離情報２３２に基づいて、損失量およびこれを補うための演算を行って、光源装置１０から供給されるべき供給光源量を算出する（Ｓ３０２）。演算方法は、光源装置１０の供給量算出部１２０が実行する場合と同様である。
【００７７】
次いで、演算結果である供給光源量を、ネットワーク３を介して光源装置１０へ通知する（Ｓ３０３）。
【００７８】
（システム動作：光源装置）
図１３を用いて、光源装置１０による動作手順について説明する。光源装置１０は、接続可能な投影装置２０のカウントＮをクリアする（Ｓ４０１）。次いで、カウントをインクリメントし（Ｓ４０２）、供給光源量を取得するまでのタイマーをクリアする（Ｓ４０３）。
【００７９】
投影装置Ｎから供給光源量を受信したか否かを判断し（Ｓ４０４）、受信した場合（Ｓ４０４：Ｙｅｓ）、通知された供給光源量を投影装置Ｎへ出力する（Ｓ４０５）。
【００８０】
一方、Ｓ４０４において、投影装置Ｎから供給光源量を受信しない場合（Ｓ４０４：Ｎｏ）、タイマーをカウントし（Ｓ４０６）、カウント値が所定時間以上（タイムアウト）であるかを判定する（Ｓ４０７）。
【００８１】
タイムアウトの場合（Ｓ４０７：Ｙｅｓ）、投影装置Ｎへの光源出力をオフにする（Ｓ４０８）。なお、光源出力をオフにせず、デフォルト値での光源出力を行うようにしても良い。
【００８２】
タイムアウトでない場合（Ｓ４０７：Ｎｏ）、供給光源量を受信したか否かの判断（Ｓ４０４）へ戻る。
【００８３】
Ｓ４０５またはＳ４０８の処理の後、カウントされたＮが、光源装置１０に接続できる最大数か否かを判定する（Ｓ４０９）。Ｎが最大数となっていない場合は（Ｓ４０９：Ｎｏ）、Ｓ４０２へ戻りＮをインクリメントして、他の投影装置Ｎについての処理に移る。一方、最大数となっている場合は（Ｓ４０９：Ｙｅｓ）、接続される投影装置Ｎはこれ以上ないので、今回の処理を終了して、次回の処理に移る（Ｓ４０１へ戻る）。
【００８４】
以上説明した第２の実施形態に係る画像投影システムによれば、各投影装置で光源装置と投影装置との距離に応じた光度エネルギーのロス分を補った量を光源装置に対し要求し、光源装置がこれを投影装置に供給することで、距離に応じて適切な明るさに調整することができる。したがって、光源装置と投影装置との距離が長い場合であっても、最適な明るさに調整された投影画像を投影することができる。
【００８５】
［第３の実施形態］
第１および第２の実施形態では、光源装置１０が１の光源１４を備える例について説明したが、第３の実施形態では、光源装置１０が２以上の光源１４を備える場合について説明する。なお、第３の実施形態では、光源装置１０が供給光源量を算出する構成を例に説明するが、各投影装置２０側で供給光源量を算出するようにしてもよい。
【００８６】
図１４は、光源１４を複数有する光源装置１０を備えた画像投影システム１の一例を示す概略構成図である。ここでは、光源装置１０が光源１４として３つの光源１４Ａ，１４Ｂ，１４Ｃを備えている。
【００８７】
図１５を参照して、第３の実施形態に係る画像投影システム１の動作の一例を説明する。図１５は、図１４に示した画像投影システム１に説明のための数値を付加した説明図である。
【００８８】
図１５の例では、投影装置２０Ａの必要光源量が３，０００［ｌｍ］、投影装置２０Ｂの必要光源量が１，０００［ｌｍ］である。また、光源１４Ａの供給可能量は２，０００［ｌｍ］、光源１４Ｂの供給可能量は２，５００［ｌｍ］、光源１４Ｃの供給可能量は２，０００［ｌｍ］となっており、光源１４全体での最大供給量は６，５００［ｌｍ］である。
【００８９】
上述の実施形態で説明した処理により、投影装置２０Ａへの供給光源量３，３５２［ｌｍ］と、投影装置２０Ｂへの供給光源量１，１１８［ｌｍ］が算出される。
【００９０】
ここで、光源装置１０が備える各光源と供給可能量との対応は予め情報記憶部１４０に記憶されており、供給量算出部１２０は、投影装置２０Ａ及び投影装置２０Ｂに対応する光ファイバＩ／Ｆ１６を特定し、特定された光ファイバＩ／Ｆ１６に決定した光度エネルギーが供給されるように分配部１５を制御する。
【００９１】
この例では、光源１４Ａ及び光源１４Ｂが出力する光度エネルギーにより、必要な光度エネルギーを供給できるため、光源装置１０は、光源１４Ｃの出力を停止することができる。これにより、光源装置１０の消費電力を抑えることが可能になる。
【００９２】
図１６を用いて、分配部１５の構成例について説明する。図１６に示すように、分配部１５は、ライトトンネル１５１、リレーレンズ（１５２Ａ，１５２Ｂ）、ポリゴンミラー１５３、折り返しミラー１５４を有する。
【００９３】
ライトトンネル１５１は、例えば板ガラス等の貼り合わせによって四角筒状に形成されている。ライトトンネル１５１は、光源（１４Ａ，１４Ｂ，１４Ｃ）から照射された光を、内面で多重反射することで輝度分布を均一化して、リレーレンズ（１５２Ａ，１５２Ｂ）に導く。
【００９４】
リレーレンズ（１５２Ａ，１５２Ｂ）は、ライトトンネル１５１から出射された光を集光する。
【００９５】
ポリゴンミラー１５３は、システム制御部１１の指示を受けて回転する。ポリゴンミラー１５３は、リレーレンズ１５２が出射した光を折り返しミラー１５４に反射させる。
【００９６】
折り返しミラー１５４は、ポリゴンミラー１５３が出射した光を反射し、光ファイバＩ／Ｆ（１６Ａ，１６Ｂ）に入射する。
【００９７】
システム制御部１１は、ポリゴンミラー１５３の回転速度を調整し、供給量算出部１２０により決定された光度エネルギーが光ファイバＩ／Ｆ１６の各々に入射するように制御する。
【００９８】
なお、上述した分配部１５の構成は一例であり、その他の構成で分配部１５を実現可能なことは勿論である。例えば、光度エネルギーの半分を透過させ、半分を反射させるハーフミラーを用いて光ファイバＩ／Ｆ１６の各々に入射する光度エネルギーを調整してもよい。また、ポリゴンミラー１５３とハーフミラーとを組み合わせて、光ファイバＩ／Ｆ１６の各々に入射する光度エネルギーを調整してもよい。ポリゴンミラー１５３等を用いて光ファイバＩ／Ｆ１６に入射する光度エネルギーを調整する場合、光ファイバＩ／Ｆ１６に光が入射されない期間が存在する。このため、システム制御部１１は、対応管理テーブル１４１から特定される光度エネルギーより、光ファイバＩ／Ｆ１６に入射される光度エネルギーが、所定の量、大きくなるように分配部１５を制御する。
【００９９】
以上説明した第３の実施形態に係る画像投影システムによれば、複数の光源を光度エネルギーの供給量に応じて制御することで、光源装置１０の消費電力を抑えることが可能になる。
【０１００】
［第４の実施形態］
第１，第２の実施形態では、各投影装置２０の必要光源量は、予め情報記憶部２３０に記憶されている例を説明したが、必要光源量を、投影画像のサイズに基づいて、算出するようにしてもよい。なお、第４の実施形態では、光源装置１０が供給光源量を算出する構成を例に説明するが、各投影装置２０側で供給光源量を算出するようにしてもよい。
【０１０１】
図１７を用いて、投影装置２０のハードウエア構成について説明する。投影装置２０は、主制御部２１、操作部２２、外部Ｉ／Ｆ２３、光ファイバＩ／Ｆ２４、画像生成部２５、投影光学系２６、距離計測部２７、カメラ２８を有する。
【０１０２】
距離計測部２７は、主制御部２１の制御を受けて、投影装置２０と被投影面４との距離を測定する。距離計測部２７は、例えば、距離センサーにより実現される。
【０１０３】
カメラ２８は、主制御部２１の制御を受けて、被投影面４上の投影画像を撮影する。なお、投影装置２０は、距離計測部２７、及びカメラ２８の少なくとも一方を有していればよい。
【０１０４】
図１８を用いて、投影装置２０の主制御部２１の機能構成について説明する。主制御部２１は、送受信部２１０、投影制御部２２０、情報記憶部２３０、必要量算出部２５０を有する。
【０１０５】
必要量算出部２５０は、投影画像のサイズを算出し、算出した投影画像のサイズに基づいて、必要光源量を算出し、必要光源量を送受信部２１０を介して、光源装置１０に通知する。なお、投影画像のサイズと必要光源量の関係は予め規定されているものであればよい。
【０１０６】
投影画像のサイズの算出は、例えば、カメラ２８に被投影面４上の投影画像を撮影させ、撮影データを取得し、撮影データに基づいて算出される。また、例えば、距離計測部２７に投影装置２０と被投影面４との距離を計測させ、計測結果を取得し、計測結果と、投影光学系２６が画像データを投影するときの画角とから、投影画像のサイズを算出するものであってもよい。
【０１０７】
以上説明した第４の実施形態によれば、各投影装置２０が被投影面４との距離等から算出した投影画像のサイズに基づいて、必要光源量を算出することで、必要光源量を予め記憶させることなく、使用環境に応じて最適な必要光源量を光源装置１０に通知することができる。
【０１０８】
なお、投影装置２０側で供給光源量を算出する場合は、さらに供給量算出部２４０、距離情報２３２を有し、必要量算出部２５０は算出結果としての必要光源量を、供給量算出部２４０へ送り、供給量算出部２４０にて、供給光源量を算出する。
【０１０９】
尚、上述の実施形態は本発明の好適な実施の例ではあるがこれに限定されるものではなく、本発明の要旨を逸脱しない範囲において種々変形実施可能である。
【０１１０】
例えば、上記実施形態では、光源装置１０の１つの光源１４に対し、２つの投影装置２０を備える例を説明したが、投影装置２０の数は、３以上であってもよいのは勿論である。また、本発明は、光源装置１０の１つの光源１４に対し、１つの投影装置２０である場合にも適用することができる。
【０１１１】
また、上述した実施の形態の機能を実現するソフトウエアのプログラムコードを記録した記憶媒体を、光源装置１０及び投影装置２０に供給してもよい。そして、光源装置１０及び投影装置２０が記憶媒体に格納されたプログラムコードを読み出し実行することによっても、上述の実施形態が、達成される。この場合、記憶媒体から読み出されたプログラムコード自体が前述した実施形態の機能を実現することになり、そのプログラムコードを記憶した記憶媒体は、いずれかの実施の形態を構成する。ここで、記憶媒体は、記録媒体または非一時的な記憶媒体である。
【符号の説明】
【０１１２】
１  画像投影システム
２  光ファイバ
３  ネットワーク
４，４Ａ，４Ｂ  被投影面
１０  光源装置
１１  システム制御部
１２  操作部
１３  ファン
１４，１４Ａ，１４Ｂ  光源
１５  分配部
１６，１６Ａ，１６Ｂ  光ファイバＩ／Ｆ
２０，２０Ａ，２０Ｂ  投影装置
２１  主制御部
２２  操作部
２３  外部Ｉ／Ｆ
２４  光ファイバＩ／Ｆ
２５  画像生成部
２６  投影光学系
２７  距離計測部
２８  カメラ
３０，３０Ａ，３０Ｂ  端末
１１０  送受信部
１２０  供給量算出部
１３０  供給制御部
１４０  情報記憶部
１４１  対応管理テーブル
１４２  距離管理テーブル
２１０  送受信部
２２０  投影制御部
２３０  情報記憶部
２３１  必要光源量
２３２  距離情報
２４０  供給量算出部
２５０  必要量算出部
【先行技術文献】
【特許文献】
【０１１３】
【特許文献１】特開２００９−１５７３７９号公報
【特許文献２】特許第５０５８７９８号公報
【図１】
2018077397.tif 000003
【図２】
2018077397.tif 000004
【図３】
2018077397.tif 000005
【図４】
2018077397.tif 000006
【図５】
2018077397.tif 000007
【図６】
2018077397.tif 000008
【図７】
2018077397.tif 000009
【図８】
2018077397.tif 000010
【図９】
2018077397.tif 000011
【図１０】
2018077397.tif 000012
【図１１】
2018077397.tif 000013
【図１２】
2018077397.tif 000014
【図１３】
2018077397.tif 000015
【図１４】
2018077397.tif 000016
【図１５】
2018077397.tif 000017
【図１６】
2018077397.tif 000018
【図１７】
2018077397.tif 000019
【図１８】
2018077397.tif 000020